(57)【要約】【課題】虫の誘引作用を良好に発揮することができ、利用者を不快に感じさせることを防止できるようにすること。【解決手段】虫を誘引する発光手段１２と、この発光手段１２の左右両側に繰り出される捕虫シート１１と、この捕虫シート１１の繰り出しを許容し当該捕虫シート１１を保持する保持手段１３とを備えて捕虫器１０が構成されている。捕虫シート１１は、帯状をなす基材シート１１Ａと、この基材シート１１Ａの一方の面に積層された接着剤層１１Ｂとを備えている。発光手段１２の前方には反射板１４が配置されている。反射板１４の発光手段１２側には、発光手段１２の光を捕虫シート１１に向って、複数の方向に反射する。【選択図】図１
2008295312.tif 000002
【特許請求の範囲】
【請求項１】
虫を誘引する発光手段と、この発光手段を囲む少なくとも２面に繰り出される捕虫シートと、この捕虫シートの繰り出しを許容し当該捕虫シートを保持する保持手段とを備えた捕虫器において、
前記捕虫シートは、帯状をなす基材シートの一方の面に積層された接着剤層を含み、
前記発光手段の所定方向に、当該発光手段の光を前記繰り出された捕虫シートに向って、複数の方向に反射する反射板を設けたことを特徴とする捕虫器。
【請求項２】
前記反射板は、所定の領域において、前記発光手段から発せられる光を見えないようにするカバー部材としての機能を有することを特徴とする請求項１記載の捕虫器。
【請求項３】
前記反射板は、発光手段側に膨出する形状を備えていることを特徴とする請求項１又は２記載の捕虫器。
【発明の詳細な説明】
【技術分野】
【０００１】
本発明は、捕虫器に係り、更に詳しくは、効率良く捕虫を行うことができる捕虫器に関する。
【背景技術】
【０００２】
従来より、例えば、食品や粘着シート、精密機械等の製品に虫が混入することを防止するために捕虫器が利用されている（特許文献１参照）。特許文献１の捕虫器は、捕虫用の発光手段と、この発光手段の周りに掛け回された粘着シートとを備えている。同文献の捕虫器では、発光手段の電源を投入すると、粘着フィルムを通じて捕虫器の正面及び背面側に発光し、粘着フィルムに虫を誘引するようになっている。
【特許文献１】実開平３−４１５８４号公報
【発明の開示】
【発明が解決しようとする課題】
【０００３】
しかしながら、特許文献１にあっては、発光手段から発せられて直接粘着シートに達する光だけで虫を誘引するので、その誘引能力は発光手段の発光量に比例し、発光量の不足分は、発光手段自体を容量アップさせるか、発光手段の量を増やさなければならないという不都合を生じる。
また、捕虫器の正面側から発光するため、捕虫器周りの利用者に眩しさを感じさせ易くなり、利用者に不快感を与えてしまうという不都合も招来する。しかも、虫の誘引を効率よくするために、光源に紫外線を発するものを使用した場合、不用意なる化学的な作用を及ぼすおそれがある、という不都合がある。
【０００４】
［発明の目的］
本発明は、前述の不都合に着目しつつ前記要請に対応するように案出されたものであり、その目的は、虫の誘引作用を良好に発揮することができ、利用者に不快感を感じさせることのない捕虫器を提供することにある。
【課題を解決するための手段】
【０００５】
前記目的を達成するため、本発明は、虫を誘引する発光手段と、この発光手段を囲む少なくとも２面に繰り出される捕虫シートと、この捕虫シートの繰り出しを許容し当該捕虫シートを保持する保持手段とを備えた捕虫器において、
前記捕虫シートは、帯状をなす基材シートの一方の面に積層された接着剤層を含み、
前記発光手段の所定方向に、当該発光手段の光を前記繰り出された捕虫シートに向って、複数の方向に反射する反射板を設ける、という構成を採っている。
【０００６】
本発明において、前記反射板は、所定の領域において、前記発光手段から発せられる光を見えないようにするカバー部材としての機能を有する、という構成を採ることが好ましい。
【０００７】
また、前記反射板は、発光手段側に膨出する形状を備える、という構成が好ましくは採用される。
【発明の効果】
【０００８】
本発明によれば、発光手段から捕虫シートに直接達する光だけでなく、反射板により反射した光も外部に発することができる。これにより、捕虫器周りの発光量を増やすことができ、虫の誘引能力を高めて捕虫効果をより良く発揮することが可能となる。しかも、捕虫器を所定方向から見たときに、カバー部材として機能するので、例えば、人が往来する方向への発光を遮断することができる。従って、捕虫シートを通じて発せられる光を利用者が直接見難くなり、眩しい等の不快感を利用者に与えることを回避することができる。特に、発光手段が紫外線を発する場合には、不用意なる化学的な作用を防止することができる。
【０００９】
また、反射板が発光手段側に膨出する形状を備えている場合、発光手段の光を複数方向に効率的に反射することができる。
【発明を実施するための最良の形態】
【００１０】
以下、本発明の好ましい実施の形態について図面を参照しながら説明する。
なお、本明細書及び特許請求の範囲において、方向若しくは位置を示す用語は、特に明示しない限り、図１を基準とし、「前」とは紙面直交方向手前側を示す一方、「後」とは、同奥行き側について用いられる。
また、「未使用」とは、接着剤層を表出する前の状態を意味する他、捕虫を行うべく接着剤層を表出した直後の状態も意味する。また、「使用済み」とは、捕虫を行った後の状態を意味する他、虫が捕獲されていない状態であっても、所定期間捕虫の用に供した状態も意味する。
更に、「光」は、虫を誘引可能な波長の光であり、可視光線だけでなく紫外線等の不可視光線も含む概念として用いる。
【００１１】
図１には、本実施形態に係る捕虫器の概略正面図が示され、図２には、図１の右側面図が示されている。これらの図において、捕虫器１０は、虫を捕獲するための捕虫シート１１と、この捕虫シート１１に沿って位置する発光手段１２と、捕虫シート１１の繰り出しを許容し保持可能に設けられた保持手段１３と、発光手段１２の所定方向（前方）に配置された反射板１４と、発光手段１２と捕虫シート１１との間に設けられた案内手段１５とを備えて構成されている。
【００１２】
前記捕虫シート１１は、ロール状に巻回された状態から発光手段１２の近傍における左側を通過するように下方に繰り出された後、発光手段１２の右側を通過するように上方に繰り出されるようになっている。捕虫シート１１は、図３（Ａ）及び（Ｂ）に示されるように、帯状をなす基材シート１１Ａと、この基材シート１１Ａの一方の面（図３（Ｂ）中上面）に積層された接着剤層１１Ｂと、この接着剤層１１Ｂによって仮着された剥離シート１１Ｃとを備えた３層構造となっている。基材シート１１Ａの繰り出し方向に沿う両端、すなわち、図３中左右両端に沿う位置には、前記接着剤層１１Ｂを積層しない非接着領域１１Ｄがそれぞれ設けられている。
【００１３】
前記発光手段１２は、図示しない電力源に接続される蛍光灯１８により構成されている。蛍光灯１８は、脚部材２０から立設された背面フレーム２１に支持されている。なお、蛍光灯１８は、虫を誘引可能な波長の光、例えば紫外線を発光するものが好ましい。
【００１４】
前記保持手段１３は、ロール状に巻回された捕虫シート１１を支持する支持手段２５と、この支持手段２５の近傍に設けられた剥離手段２６及び回収手段２７と、剥離手段２６及び回収手段２７に連結され、支持手段２５から回収手段２７に基材シート１１Ａ及び剥離シート１１Ｃを繰り出す繰出手段２８とを備えて構成されている。
【００１５】
前記支持手段２５は、ロール状に巻回された捕虫シート１１の回転中心軸位置に設けられた支持軸３０を備え、この支持軸３０は、前記背面フレーム２１を上方に延長して形成されるブラケット部３１に片持ち支持されている。支持軸３０は、ロール状の捕虫シート１１を回転させて剥離手段２６側へ繰り出すことができるようになっている。
【００１６】
前記剥離手段２６は、支持手段２５からその下方に位置するガイドローラ３３を通過した捕虫シート１１の剥離シート１１Ｃを折り返し、当該剥離シート１１Ｃを上方へ導く剥離用ローラ３４と、剥離用ローラ３４により剥離された剥離シート１１Ｃを回収する剥離シート回収軸３５とを備えて構成されている。剥離用ローラ３４及び剥離シート回収軸３５は、前記ブラケット部３１によりそれぞれ片持ち支持されている。剥離シート１１Ｃが剥離された後の基材シート１１Ａは、未使用の接着剤層１１Ｂを表出しつつ案内手段１５に沿って発光手段１２の左右両側を通過し、回収手段２７へ案内される。
【００１７】
前記回収手段２７は、前記ブラケット部３１により片持ち支持された巻取軸３７により構成され、この巻取軸３７は、前記繰出手段２８の作動により図２中矢印Ｒ１方向に回転可能となっている。
【００１８】
前記繰出手段２８は、前記剥離シート回収軸３５及び巻取軸３７にそれぞれ連結されたプーリ３９、４０と、これらプーリ３９、４０に掛け回されたベルト４１と、前記巻取軸３７に連結された操作ハンドル４２とを備えて構成されている。
【００１９】
前記反射板１４は、前記背面フレーム２１に設けられた後述の棒状部材４４に取り付けられている。反射板１４は、図４に示されるように、屈曲部１４Ａと、この屈曲部１４Ａの左右両側にそれぞれ連なって左右方向に延びる側部１４Ｂとを備えている。屈曲部１４Ａは、平面視したときに、発光手段１２側に膨出するＶ字状に設けられ、屈曲位置が左右方向中央に位置する左右対称形状に形成されている。本実施形態の場合、ステンレス板によって反射板１４が形成されるとともに、屈曲部１４Ａ及び側部１４Ｂの発光手段１２側が鏡面１４Ｃとされる。
【００２０】
前記案内手段１５は、発光手段１２の左右両側において、上下に所定間隔を隔てて複数設けられた棒状部材４４を備えている。各棒状部材４４は、前記反射板１４の側部１４Ｂと背面フレーム２１との各内面に連結されている。各棒状部材４４は、基材シート１１Ａの接着剤層１１Ｂとは反対の面に当接可能に設けられ、基材シート１１Ａが発光手段１２側に撓んだり、ばたつくことを抑制できるようになっている。また、各棒状部材４４は、基材シート１１Ａを剥離用ローラ３４から発光手段１２の左側を下方に向かって導いた後、発光手段１２の右側で上方へ繰り出すようにガイドする。これにより、基材シート１１Ａの接着剤層１１Ｂは、発光手段１２を囲む２面すなわち左右両面側に表出することとなる。
【００２１】
前記捕虫器１０は、図１に示される状態から、蛍光灯１８を発光させると、その光は、基材シート１１Ａ及び接着剤層１１Ｂを透過して外部に発せられる。このとき、図４に示されるように、蛍光灯１８の光は平面視放射状に発せられ、前方へ放射された光は、反射板１４により反射されて左右両側の基材シート１１Ａに達することとなる。これにより、蛍光灯１８から発せられる光に加えて、反射板１４により反射された光によって誘引能力が向上し、発行量不足を解消することができる。そして、この光に誘引されて虫が飛来すると、接着剤層１１Ｂに接触した虫が当該接着剤層１１Ｂに接着されて捕獲される。
【００２２】
そして、一定期間捕虫を行った後、未使用の接着剤層１１Ｂを表出させる場合、前記繰出手段２８の操作ハンドル４２を回転操作する。これにより、巻取軸３７が図１中矢印Ｒ１方向に回転するとともに、剥離シート回収軸３５が同図中Ｒ２方向に回転し、基材シート１１Ａ及び剥離シート１１Ｃが巻き取られて回収される。この巻き取りにより、支持軸３０に支持されたロール状の捕虫シート１１が下方に繰り出され、剥離用ローラ３４を通過する時に剥離シート１１Ｃが順次剥離される。これと同時に、未使用の接着剤層１１Ｂが表出した後、発光手段１２の左右に位置する基材シート１１Ａが各棒状部材４４に案内されて図１中矢印Ｓ１方向に繰り出される。
【００２３】
以上のように、捕虫器１０において、単一の駆動源として操作ハンドル４２を回転することにより、剥離シート１１Ｃの剥離及び回収と、発光手段１２の左右両側への未使用の接着剤層１１Ｂのセットと、使用済みの基材シート１１Ａの回収とを同時に行えるようになる。
【００２４】
ここで、捕虫を行っている際、発光手段１２からの光は、反射板１４により所定方向から見えないように遮断されることとなる。すなわち、図４中、捕虫器１０前方の二点鎖線の間Ｒの領域において、発光手段１２から発せられる光を見えないようにすることができる。これにより、反射板１４は、カバー部材としての機能を有する。
【００２５】
従って、このような実施形態によれば、捕虫器１０前方のいる者が発光による眩しさを感じることを回避することができ、発光手段１２が紫外線を照射する場合、意図しない化学的作用を防止することが可能となる。しかも、反射板１４により光を左右両側の基材シート１１Ａに向かって反射するので、基材シート１１Ａを透過する光を強くすることができ、虫の誘引能力を高めてより遠くを飛来する虫を誘引することができるため、多くの虫を捕獲することが可能となる。
【００２６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
例えば、反射板１４は、種々の設計変更が可能であり、具体的には、図５に示されるように、平面視で発光手段１２側に膨出する略半円弧状にしたり、図６に示されるように、ジグザグ状に形成してもよい。また、反射板１４をフラットに形成してもよい。
【００２８】
更に、誘引手段１２において、紫外線の光源は蛍光灯１８に替えてＬＥＤ（発光ダイオード）等の他の発光源によって構成してもよい。
【００２９】
また、案内手段１５として複数の棒状部材４４を用いたが、当該棒状部材４４と同様の作用を奏する限りにおいて、背面フレーム２１及び反射板１４間に光を透過可能な樹脂板等を設けてもよい。
【００３０】
更に、前記支持軸３０、剥離シート回収軸３５及び巻取軸３７の少なくとも一つに、前述した繰り出し方向に逆行する方向に進行することを規制する逆転防止手段を設けてもよい。この逆転防止手段としては、ラチェット機構や、各軸に対するピン止め構造、ワンウェイクラッチ構造が例示できる。
【００３１】
更に、捕虫器１０は、自立タイプに限られず、壁や天井等に取り付け可能な構成としてもよい。
【００３２】
また、本実施形態では、反射板１４をステンレス板によって形成した例を示したが、それに限定されることなく、光を透過しない（透過しにくい）材質の一面を反射面とし、他の材料を用いることもできる。
【００３３】
更に、反射板１４は、カバー部材と別体のものであってもよい。
【図面の簡単な説明】
【００３４】
【図１】実施形態に係る捕虫器の概略正面図。
【図２】図１の右側面図。
【図３】（Ａ）は、捕虫シートの正面図であり、（Ｂ）は、（Ａ）のＢ−Ｂ線に沿う断面図である。
【図４】図１のＡ−Ａ線に沿う拡大断面図。
【図５】変形例に係る反射板の平面図。
【図６】他の変形例に係る反射板の平面図。
【符号の説明】
【００３５】
１０  捕虫器
１１  捕虫シート
１１Ａ  基材シート
１１Ｂ  接着剤層
１２  発光手段
１３  保持手段
１４  反射板（カバー部材）
【図１】
2008295312.tif 000003
【図２】
2008295312.tif 000004
【図３】
2008295312.tif 000005
【図４】
2008295312.tif 000006
【図５】
2008295312.tif 000007
【図６】
2008295312.tif 000008